(57)【要約】【課題】敷地形状に合わせて曲面形状を自在に形成することができるフェンスの提供。【解決手段】フェンスは複数の支柱２０と、支柱間に配置した複数の縦桟３０を備え、これらの間に連結部材４０を配置する。連結部材４０は、第１の連結具（一方の取付具４１）と第２の連結具（他方の取付具４１）を備え、これら連結具の先端部を垂直軸４２で水平方向で回動可能に結合してある。支柱と縦桟及び縦桟と縦桟は前記ヒンジ状の連結部材４０で個々に結合される。【選択図】図１
2008184899.tif 000002
【特許請求の範囲】
【請求項１】
複数の支柱と、支柱間に配置した複数の縦桟と連結部材とを備え、支柱と縦桟及び縦桟と縦桟は、連結部材で連結部材の垂直軸の周りに回動可能に連結してあることを特徴としたフェンス。
【請求項２】
連結部材は第１の連結具と第２の連結具を有し、これら連結具同士を垂直軸で回動可能に結合してあり、第１の連結具を支柱又は縦桟に固定してあり、第２の連結具を縦桟に固定してあることを特徴とした請求項１に記載のフェンス。
【請求項３】
第１の連結具と第２の連結具は、同じ構造のものであることを特徴とした請求項２に記載のフェンス。
【発明の詳細な説明】
【技術分野】
【０００１】
本発明は、敷地や庭を区切るフェンスに関する。
【背景技術】
【０００２】
フェンスは敷地や庭等を区画するものであるが、敷地等の境界は必ずしも直線的になっていないので必要に応じて曲面形状に形成することも必要になる。
特開２００３−２９３６１９号公報には複数の支柱間に横桟（柵材）をボルト連結して角度調整可能にしたフェンスを開示するが、支柱と横桟の取付部でしか角度調整が出来ないので曲面形成の自由度が低い。
【０００３】
【特許文献１】特開２００３−２９３６１９号公報
【発明の開示】
【発明が解決しようとする課題】
【０００４】
本発明は、敷地形状に合わせて曲面形状を自在に形成することができるフェンスの提供を目的とする。
【課題を解決するための手段】
【０００５】
本発明に係るフェンスは、複数の支柱と、支柱間に配置した複数の縦桟を備え、支柱と縦桟及び縦桟と縦桟を連結部材で連結し、連結部材の垂直軸の周りに相互に水平回動可能とする。具体的には、連結部材は第１の連結具と第２の連結具を備え、これら連結具を垂直軸で回動可能に結合してある。そして、第１の連結具の基部を支柱又は縦桟に固定し、第２の連結具の基部を縦桟に固定することにより支柱と縦桟及び縦桟と縦桟を前記の垂直軸の周りに相互に回動可能とする。これらを垂直軸の周りに回動可能とすることは、実質的には、連結部材の角度を調整することである。
【発明の効果】
【０００６】
支柱と縦桟及び縦桟と縦桟を連結部材で連結し、支柱と縦桟及び縦桟と縦桟を連結部材の垂直軸の周りに回動可能としたので、様々な敷地形状に合わせて、フェンスの曲面形状を成り立たせることができる。
連結部材を第１、第２の連結具を垂直軸で連結した構造であると、フェンスの屈曲点が支柱と縦桟の間や縦桟と縦桟の間になるので、曲面を形成するフェンスの見掛けの曲率を小さくできる。
第１、第２の連結具を同じ構成にすると、製品のコストダウンに大きく貢献する。
支柱間に配置する縦桟の本数を多くすることで目隠しスクリーンの機能を有するものとできる。
【発明を実施するための最良の形態】
【０００７】
本発明に係るフェンスの外観図を図１に示す。
フェンス１０は、複数の支柱２０間に、縦桟３０を連結部材４０で連結して配設してある。
図１に示した例では、縦桟３０の本数は３本であるが複数であれば本数に制限はなく、フェンスの強度と形状を考慮して設定する。
フェンスの支柱２０付近を上方から見、かつ、キャップ５０をとった状態を図２（イ）に、支柱２０の上端末部付近の正面断面図を図２（ロ）に、連結部材４０の斜視図を図２（ハ）にそれぞれ示す。
この実施例において、支柱２０は支柱芯材２１と支柱芯材２１の前後に接合した装飾材２６とで構成してある。支柱芯材２１は装飾材２６の下方に延出した延出部２３を有し、延出部２３の下部２３ａを支持台１や地面に埋設している。
なお、図１に示した例は、延出部を地面に埋設した例であるが、支持台の一部を地上に露出したもの、支持台を地上に載置したもの、あるいは延出部を直接地中に埋設したものであってもよい。
一方、この実施例において、支柱間に配設した縦桟３０も縦桟芯材３１とその前後に接合した装飾材３５とで構成してある。縦桟芯材３１は下部に延出部を有していない。
従って支柱２０を支持台又は地面から立ち上げつつ、支柱２０の間に地表等から間隔を空けて縦桟２０を有していることになる。
支柱芯材２１及び縦桟芯材３１は、図２（イ）、図２（ロ）に示すようにそれぞれの前面２１ａ、３１ａ及び後面２１ｂ、３１ｂの左右端近くに、それぞれ芯材長手方向にわたる細い突条２４、３３を有し、装飾材２６、３５は、この突条２４、３３上に線接触させた状態で芯材２１、３１に取りつけ、芯材２１、３１の前後面との間に隙間１１を形成している。
芯材２１，３１の前後に装飾材を接合する取り付け方法は特に限定されないがビス止めであってもよい。
支柱２０及び縦桟３０の芯材２１，３１をアルミニウム合金押出形材等の金属製にし、装飾材に天然木材や合成木材等を用いることで、装飾材による外観意匠向上と金属製の芯材で強度を確保することができるとともに、装飾材と芯材の間に突条２４、３３による隙間１１を形成してあるので装飾材が天然木の際の雨水等による天然木の腐蝕を防止している。
また支柱２０と縦桟３０の装飾材を同一部材にすると意匠の統一性が高くなる。
さらに装飾材の長さを調整することでフェンスの背の高さを調整出来、装飾材の幅を広くすることで縦桟３０の本数が同じであっても目隠し機能を高めたスクリーンとできる。
なお、支柱２０は全体が押出し成形材から切出した角柱や円柱にキャップを被せたような通常の形態であってもよく、縦桟３０についても同様である。
【０００８】
連結部材４０は図２（ハ）に示すように、水平片４１ａと垂直片４１ｂからなる断面コ字状の芯材取付具４１を隣り合う芯材にそれぞれ、コ字状の開口側を互いに対向させるように配設し、水平片４１ａの開口側端部４１ｃ同士をそれぞれヒンジよりなる垂直軸４２で連結している。
これにより、芯材取付具４１同士は垂直軸４２を中心とする水平方向に角度調整自在になっている。
連結部材４０は芯材取付具４１の垂直片４１ｂを、支柱芯材２１あるいは縦桟芯材３１の左右の側面２２、３２にビス止めして、支柱２０と縦桟３０とを、あるいは縦桟３０同士を角度調整自在に連結している。
すなわち、芯材取付具４１は、連結具であって、連結部材４０は、支柱２０または縦桟３０に固定される第１の連結具と縦桟に固定される第２の連結具を備え、その先端部同士を垂直軸４２で連結して回動可能に連結した構造とされている。そして、第１の連結具の基部を支柱２０又は縦桟３０に固定し、第２の連結具の基部を縦桟３０に固定することにより、連結部材４０は、支柱２０と縦桟３０の間、及び縦桟３０と縦桟３０の間にそれぞれ配置され、支柱２０と縦桟３０及び縦桟３０と縦桟３０とを連結部材４０の垂直軸４２の周りに水平回動可能に連結している。
また、実施例では、一方の芯材取付具４１（第１の連結具）と他方の芯材取付具４１（第２の連結具）は、同じ構造のものを上下に少しずらすなどして併用している。
このように、縦桟３０と支柱２０の連結及び縦桟３０どうしの連結を、ヒンジ状の連結部材４０を用いて行うことで、フェンス１０は曲面形状を自在に形成可能となっている。
【０００９】
支柱芯材２１と縦桟芯材３１は、端末部２５、３４にそれぞれ図２（ニ）に示すキャップ５０を嵌めている。
このキャップ５０は、図２（ロ）に示す支柱芯材端末部２５、縦桟芯材端末部３４において形成してあるキャップ脚部取付溝２５ａ、３４ａに、キャップ５０の断面略Ｌ字形の脚部５２を嵌め込んでいる。
取付溝２５ａ、３４ａは、前面側から後面側に断面略Ｌ字形に貫くように切り込んで形成してある。
キャップ脚部５２は、この取付溝２５ａ、３４ａに前後方向に挿入することで嵌合している。
キャップ５０は端末部２５、３４の開口部２５ｂ、３４ｂを蓋部５１で塞いでいる。
このキャップ５０は、装飾材２６、３５がキャップ５０の蓋部５１と脚部５２の前後両側の移動を規制して位置固定している。
このようにキャップは、脚部を取付溝に嵌めて、装飾材で取付溝を塞ぐように芯材端部に位置固定するため、簡単に取りつけることが出来て脱落することがない。
この実施例では、支柱及び縦桟を芯材と装飾材で構成し、隣り合う芯材どうしを連結部材で連結したので、装飾材の取り替えを自在にする構造にした場合にも容易に対応できる。
また、フェンスには、外部から内部が見えにくいように遮蔽するスクリーン機能が要求される場合があるが、縦桟の本数は同じでも、装飾材の幅を変えることで目隠し機能を調整することができる。
【図面の簡単な説明】
【００１０】
【図１】本発明に係るフェンスの実施例の斜視図を示す。
【図２】（イ）は本発明に係るフェンスのキャップを外した支柱付近の平面図を示し、（ロ）は正面断面図を示し、（ハ）は連結部材の斜視図を示し、（ニ）はキャップの斜視図を示す。
【符号の説明】
【００１１】
１０  フェンス
２０  支柱
２１  支柱芯材
２３  支柱芯材の延出部
２６  支柱の装飾材
３０  縦桟
３１  縦桟芯材
３５  縦桟の装飾材
４０  連結部材
４１  芯材取付具（第１の連結具、第２の連結具）
４２  垂直軸
５０  キャップ
【図１】
2008184899.tif 000003
【図２】
2008184899.tif 000004